(57)【要約】【課題】  電子メールの中に特定の文字を組み込むことによって、データ受信装置の周辺装置を制御するデータ送信装置及びデータ受信装置を提供する。【解決手段】  電子メール送受信部１７は、送信する電子メールの本文中に特定の文字を挿入し、その文字に対応して、その電子メールを受信した装置が行う処理が記憶されたファイルを添付ファイルとして添付する。その処理は、表示部１５への表示やスピーカからの音声の発生に止まらず、表示部１５のバックライトの点灯、消灯の指示や、入力装置１６のバックライトの点灯、消灯の指示や、バイブレータ部１８の振動の指示に及ぶ。上記電子メールを受信した装置の電子メール送受信部１７は、そのメールに添付された添付ファイルに記憶された処理を実行する。【選択図】  図１
2007179092.tif 000002
【特許請求の範囲】
【請求項１】
文字列情報をデータ受信装置に送信するデータ送信装置であって、
前記データ受信装置の周辺装置を制御する制御情報と対応付けられた特定文字を含む前記文字列情報を作成する送信データ作成手段と、
前記送信データ作成手段によって作成された文字列情報と前記制御情報とを送信する送信手段と
を有することを特徴とするデータ送信装置。
【請求項２】
前記送信手段は、前記文字列情報を電子メールの本文として、そして、前記制御情報を前記電子メールの添付ファイルとして送信する
ことを特徴とする請求項１に記載のデータ送信装置。
【請求項３】
データ送信装置から送信された周辺装置を制御する制御情報と、その制御情報と対応付けられた特定文字を含む文字列情報を受信するデータ受信装置であって、
前記文字列情報と前記制御情報とを受信する受信手段と、
前記受信手段によって受信された文字列情報の一部または全部を表示する表示手段と、
前記表示手段に表示された文字列情報をスクロールするスクロール手段と、
前記特定文字が前記表示手段に表示されている場合、その特定文字と対応付けられた制御情報に従って前記周辺装置を制御する制御手段と
を有することを特徴とするデータ受信装置。
【請求項４】
前記制御手段は、前記スクロール手段によるスクロールによって新たに表示された前記特定文字と、そのスクロール以前から表示されている前記特定文字とが前記表示手段に表示されている場合、前記新たに表示された特定文字と対応付けられた制御情報に従って前記周辺装置を制御する
ことを特徴とする請求項３に記載のデータ受信装置。
【請求項５】
前記制御情報は、前記表示手段の表示を点灯または消灯するものである
ことを特徴とする請求項３に記載のデータ受信装置。
【請求項６】
複数のキーからなるバックライト付きの入力手段を有し、
前記スクロール手段は、前記入力手段から入力されたキーの識別子に従ってスクロールし、
前記制御情報は、前記入力手段のバックライトを点灯または消灯するものである
ことを特徴とする請求項３に記載のデータ受信装置。
【請求項７】
振動手段を有し、
前記制御情報は、前記振動手段を振動させまたは振動を中止させるものである
ことを特徴とする請求項３に記載のデータ受信装置。
【発明の詳細な説明】
【技術分野】
【０００１】
本発明は、データ送信装置及びデータ受信装置に係り、特に、データ送信装置から送信されたデータによってデータ受信装置の周辺装置を制御する処理に関する。
【背景技術】
【０００２】
移動通信端末装置を始めとして、多くの装置で電子メールの送受信が行われており、その電子メールは、主に文字情報からなっている。その文字の中に画像や音声の出力を示す特定の文字を組み込み、電子メール受信装置は、その文字に代えて画像や音声を出力することによって、文字と画像や音声とを同時に出力し、電子メールによる分かりやすい会話が可能になることが知られている（例えば、特許文献１参照。）。
【特許文献１】特開２００４−３５５１８０号公報（第２−４頁、図６、図８）
【発明の開示】
【発明が解決しようとする課題】
【０００３】
しかしながら、上述した特許文献１に開示されている手法では、文字と画像や音声による会話に限られ、それら以外の手段を利用した分かりやすい会話ができない問題点があった。
【０００４】
本発明は上記問題点を解決するためになされたもので、電子メールの中に特定の文字を組み込むことによって、データ受信装置の周辺装置を制御するデータ送信装置及びデータ受信装置を提供することを目的とする。
【課題を解決するための手段】
【０００５】
上記目的を達成するために、本発明に係るデータ送信装置においては、文字列情報をデータ受信装置に送信するデータ送信装置であって、前記データ受信装置の周辺装置を制御する制御情報と対応付けられた特定文字を含む前記文字列情報を作成する送信データ作成手段と、前記送信データ作成手段によって作成された文字列情報と前記制御情報とを送信する送信手段とを有することを特徴とする。
【０００６】
また、本発明に係るデータ受信装置においては、データ送信装置から送信された周辺装置を制御する制御情報と、その制御情報と対応付けられた特定文字を含む文字列情報を受信するデータ受信装置であって、前記文字列情報と前記制御情報とを受信する受信手段と、前記受信手段によって受信された文字列情報の一部または全部を表示する表示手段と、前記表示手段に表示された文字列情報をスクロールするスクロール手段と、前記特定文字が前記表示手段に表示されている場合、その特定文字と対応付けられた制御情報に従って前記周辺装置を制御する制御手段とを有することを特徴とする。
【発明の効果】
【０００７】
本発明によれば、電子メールの中に特定の文字を組み込むことによって、データ受信装置の周辺装置を制御するデータ送信装置及びデータ受信装置を提供することができる。
【発明を実施するための最良の形態】
【０００８】
以下に、本発明によるデータ送信装置及びデータ受信装置の実施の形態を、図面を参照して説明する。図１は、本発明の実施形態に係るデータ送信装置及びデータ受信装置が適用された移動通信端末装置の構成を示すブロック図である。この移動通信端末装置は、装置全体の制御を行う制御部１１と、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、バックライト付きの表示部１５と、バックライト付きの入力装置１６と、電子メール送受信部１７と、着信報知等に用いられるバイブレータ部１８と、コンテンツ処理部２０とからなる。
【０００９】
図２は、コンテンツ処理部２０の構成を示し、コンテンツ処理部２０は、符号化部２１と、カメラ２１ａと、コンテンツ入力用のマイクロフォン２１ｂと、コンテンツ記憶部２２と、復号化部２３と、コンテンツ再生用のスピーカ２３ａとからなる。
【００１０】
以下、上記移動通信端末装置を構成する各部について説明する。
【００１１】
コンテンツ記憶部２２は、コンテンツ２２ａを記憶する。コンテンツ２２ａは、符号化された静止画像コンテンツ、符号化された動画像コンテンツ、符号化された音声コンテンツ、符号化された動画像コンテンツと符号化された音声コンテンツとからなる映画コンテンツなどのコンテンツであるが、これに限るものではない。例えば、符号化されていないコンテンツであっても良い。
【００１２】
なお、音声コンテンツには、着信の際に再生されると指定された音声コンテンツ（以後、着メロと称する。）及び異常な状況の際に警報のために再生されると指定された音声コンテンツ（アラーム音）も含まれる。
【００１３】
また、上記のコンテンツは、表示部１５とスピーカ２３ａから再生されるが、後述するように、これに限るものではない。例えば、表示部１５のバックライトや、入力装置１６のバックライトや、バイブレータ部１８によって再生される内容であっても良く、これらの内容を含んでいても良い。更に、符号化部２１を動作させる指示であっても良く、その指示を含んでいても良い。
【００１４】
通信部１２ｂは、アンテナ１２ａが受信した高周波信号を送受信部１３へ出力し、また、送受信部１３から出力される高周波信号をアンテナ１２ａより送信する。
【００１５】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００１６】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００１７】
表示部１５は、制御部１１に制御されることで、カーソルを含む文字・数字や画像データの表示動作を行い、表示されているデータは、入力装置１６からの入力操作や着信信号に応答して制御部１１からの指示を受けることで切換わる。また、表示部１５のバックライトは、制御部１１に制御されることで、消灯から最高輝度の点灯まで任意の明るさで点灯するので、表示部１５の表示は消灯から最高輝度の点灯まで変更される。
【００１８】
入力装置１６は、通信相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。そして、入力装置１６のキーが押下されると、そのキーの識別子が制御部１１に通知され、制御部１１によって、表示部１５に文字として表示され、または、制御が行われる。また、入力装置１６のバックライトは、制御部１１に制御されることで、消灯から最高輝度の点灯まで、任意の明るさで点灯する。
【００１９】
また、入力装置１６は、表示部１５のバックライトや、入力装置１６のバックライトを点灯または消灯する指示や、バイブレータ部１８を振動させる指示や、符号化部２１を制御してカメラ２１ａによって入力された画像を撮影する指示を所定のキー操作によって入力する。これらの指示を入力する動作は、電子メール送受信部１７の動作説明の際に詳述する。
【００２０】
電子メール送受信部１７は、電子メールの送信及び受信を行う装置であり、電子メール送受信部１７の電子メール送信動作は、入力装置１６の所定のキー操作により起動され、入力装置１６の所定のキー操作によって作成された電子メールの標題と本文とを送信する。その際、指示に従って、コンテンツ２２ａを添付ファイルとして添付する。
【００２１】
また、電子メール送受信部１７の電子メール受信動作は、送受信部１３によって電子メールが受信されると制御部１１によって起動され、受信された電子メールを電子メール送受信部１７内のメールボックス（図示せず）に記憶する。また、その電子メールに添付ファイルが添付されていれば、その添付ファイルをコンテンツ２２ａとしてコンテンツ記憶部２２に記憶する。更に、電子メール送受信部１７の受信された電子メールの表示動作は、入力装置１６の所定のキー操作によって、メールボックスに記憶された電子メールを表示部１５に表示し、その電子メールに添付ファイルが添付されている場合、コンテンツ記憶部２２にコンテンツ２２ａとして記憶されたその添付ファイルを、その添付ファイルに記憶された情報に依存して再生する。
【００２２】
バイブレータ部１８は、制御部１１に制御されることにより、振動を開始し、また、振動を終了する。バイブレータ部１８は、送受信部１３によって通話着信信号または電子メール着信信号が受信された際に振動されるが、これに限るものではない。コンテンツ２２ａにバイブレータ部１８を振動させる指示が含まれている場合、そのコンテンツ２２ａの再生の際に振動される。
【００２３】
符号化部２１は、カメラ２１ａによって入力された静止画像を、例えばＪＰＥＧ方式によって符号化して、符号化された静止画像をコンテンツ２２ａとしてコンテンツ記憶部２２に記憶する。また、カメラ２１ａによって入力された動画像を、例えばＭＰＥＧ方式によって符号化して、符号化された動画像をコンテンツ２２ａとしてコンテンツ記憶部２２に記憶する。
【００２４】
更に、符号化部２１は、マイクロフォン２１ｂによって入力された音声信号を、例えばＡＡＣ方式によって符号化して、符号化された音声信号をコンテンツ２２ａとしてコンテンツ記憶部２２に記憶する。また、カメラ２１ａによって入力された動画像とマイクロフォン２１ｂによって入力された音声信号を、例えばＭＰＥＧ方式によって符号化し、符号化された動画像及び音声信号からなる映画をコンテンツ２２ａとしてコンテンツ記憶部２２に記憶する。
【００２５】
復号化部２３は、コンテンツ記憶部２２に記憶されたコンテンツ２２ａを復号化して、出力する。即ち、符号化された静止画像であるコンテンツ２２ａを復号化して、表示部１５に表示する。また、符号化された動画像であるコンテンツ２２ａを復号化して、表示部１５に表示する。また、符号化された音声信号であるコンテンツ２２ａを復号化して、スピーカ２３ａから発生させる。また、符号化された動画像と音声信号からなる映画であるコンテンツ２２ａを復号化して、動画像を表示部１５に表示し、音声をスピーカ２３ａから発生させる。
【００２６】
以下、本発明の移動通信端末装置の動作について説明する。
【００２７】
図３は、電子メール送受信部１７の電子メール送信動作のフローチャートを示す。電子メール送受信部１７の電子メール送信動作は、入力装置１６の所定のキー操作によって動作を開始する（ステップＳ１７ａ）。そして、入力装置１６の所定のキー操作によって送信する電子メール（送信メール）の宛先アドレスと、そのメールの標題を入力して、電子メール送受信部１７内に記憶する（ステップＳ１７ｂ）。
【００２８】
次に、電子メール送受信部１７は、入力装置１６の所定のキー操作によって送信メールの本文の１文字を入力する（ステップＳ１７ｃ）。そして、この入力された文字の種類を調べる（ステップＳ１７ｄ）。この入力された文字が添付ファイルを添付する指示である場合、既存の添付ファイルを添付する指示であるか否かを調べる（ステップＳ１７ｅ）。
【００２９】
既存の添付ファイルを添付する場合（ステップＳ１７ｅの「ＹＥＳ」）、電子メール送受信部１７は、コンテンツ記憶部２２に記憶されたコンテンツ２２ａの識別子の一覧を表示部１５に出力し、出力された識別子の中の１つを入力装置１６の所定のキー操作によって選択することによって添付するコンテンツ２２ａを選択する（ステップＳ１７ｆ）。そして、上記識別子の一覧の表示を終了して、上記添付ファイルを添付する指示を示す特定文字を使用者に視認可能に追加した送信メール本文を表示し（ステップＳ１７ｇ）、ステップＳ１７ｃの送信メールの本文の１文字を入力する動作以降の動作に移る。
【００３０】
電子メール送受信部１７は、ステップＳ１７ｇで、上記特定文字とステップＳ１７ｆで選択されたコンテンツ２２ａの識別子との対応を使用者に視認不可能に送信メール本文に記憶する。また、ステップＳ１７ｆで選択されたコンテンツ２２ａは、添付ファイルとして電子メール送受信部１７内に記憶するが、これに限るものではない。例えば、着メロなど、送信メールを受け取る装置が記憶していると判断されるものは、添付ファイルとして添付しないとしても良い。
【００３１】
なお、上記特定文字は、例えば、コンテンツ２２ａの種類を以下のように分類し、それぞれに対応する異なる文字とする。即ち、まず、上記種類は、第１に静止画像であり、第２に動画像であり、第３に音声であり、第４に映画であり、第５に表示部１５のバックライト操作指示であり、第６に入力装置１６のバックライト操作指示であり、第７にバイブレータ部１８の操作指示であり、第８にカメラ２１ａの撮影指示である。
【００３２】
そして、それぞれに対応する文字とは、静止画像に対して絵画を示す絵文字であり、動画像に対して絵画を示す２つの絵文字からなる動く絵文字であり、音声に対してマイクロフォンを示す絵文字であり、映画に対して映画撮影用カメラを示す絵文字であり、表示部１５のバックライト操作指示に対して白熱電球の点灯及び消灯を示す２つの絵文字からなる動く絵文字であり、入力装置１６のバックライト操作指示に対してキーパッドの点灯及び消灯を示す２つの絵文字からなる動く絵文字である。
【００３３】
また、バイブレータ部１８の操作指示に対して物が左右に存在する２つの絵文字からなる動く絵文字であり、カメラ２１ａの撮影指示に対してカメラを示す絵文字であるが、これらに限るものではない。例えば、音声の中で、アラーム音に対して赤色電球の点灯及び消灯を示す２つの絵文字からなる動く絵文字であっても良い。また、異なる種類のコンテンツ２２ａに対応して同じ文字であっても良い。
【００３４】
ステップＳ１７ｅで、既存の添付ファイル以外のファイルを添付する、即ち、新たにコンテンツ２２ａを作成して、そのコンテンツ２２ａを添付ファイルとする場合（ステップＳ１７ｅの「ＮＯ」）、電子メール送受信部１７は、添付ファイルの種類の一覧を表示部１５に出力し、出力された種類の中の１つを入力装置１６の所定のキー操作によって選択することによって添付ファイルの種類を選択する（ステップＳ１７ｈ）。ここで、添付ファイルの種類とは、ステップＳ１７ｇの説明で既に述べた通りである。
【００３５】
次に、電子メール送受信部１７は、ステップＳ１７ｈで選択された種類のコンテンツ２２ａを作成して、作成されたコンテンツ２２ａを添付ファイルとして選択して、（ステップＳ１７ｉ）、ステップＳ１７ｇの特定文字を使用者に視認可能に追加した送信メール本文を表示する動作以降の動作を行う。
【００３６】
ここで、ステップＳ１７ｉのコンテンツ２２ａを作成する動作を、ステップＳ１７ｈで選択された種類毎に説明する。その種類が静止画像である場合、電子メール送受信部１７は、符号化部２１に指示して、カメラ２１ａで撮影された静止画像を符号化させて、符号化された静止画像をコンテンツ２２ａとさせる。その種類が動画像である場合、符号化部２１に指示して、カメラ２１ａで所定の時間間隔で撮影された静止画像を符号化させて、符号化された複数の静止画像をコンテンツ２２ａとさせる。
【００３７】
また、その種類が音声である場合、電子メール送受信部１７は、符号化部２１に指示して、マイクロフォン２１ｂで入力された音声信号を符号化させて、符号化された音声信号をコンテンツ２２ａとさせる。その種類が映画である場合、符号化部２１に指示して、カメラ２１ａで所定の時間間隔で撮影された静止画像と、マイクロフォン２１ｂで入力された音声信号とを符号化させて、符号化された複数の静止画像と音声とをコンテンツ２２ａとさせる。
【００３８】
また、その種類が表示部１５のバックライト操作指示である場合、電子メール送受信部１７は、表示部１５に、表示部１５のバックライト操作指示の入力を促すテンプレートを表示する。図４は、そのテンプレートの第１の例を示す。このテンプレートは、表示部１５の上部に「ＬＣＤの点灯、消灯の指示」なる文字表示１５ａが行われ、その下に、入力欄１５ｂの表示、「秒間毎に」なる文字表示１５ｃ、入力欄１５ｄの表示及び「秒間点滅させる」なる文字表示１５ｅが行われている。
【００３９】
入力装置１６の所定のキー操作によって、入力欄１５ｂに数字（図４では、一例として「０．５」を示す。）、そして、入力欄１５ｄに数字（図４では、一例として「１０」を示す。）が入力されることによって、電子メール送受信部１７は、「０．５秒間毎に１０秒間点滅させる」という表示部１５のバックライト操作指示を入力して、この指示をコンテンツ２２ａとしてコンテンツ記憶部２２に記憶する。
【００４０】
図５は、上記テンプレートの第２の例を示す。このテンプレートは、表示部１５の上部に「ＬＣＤの点灯、消灯の指示」なる文字表示１５ａが行われ、その下に、入力欄１５ｆの表示、「秒間」なる文字表示１５ｇ、ラジオボタン１５ｈの表示、ラジオボタン１５ｈの表示に隣接した「点灯」なる文字表示１５ｉ、ラジオボタン１５ｊの表示、及び、ラジオボタン１５ｊの表示に隣接した「消灯」なる文字表示１５ｋとからなる行が複数行表示されている。
【００４１】
入力装置１６の所定のキー操作によって、ある行の入力欄１５ｆに数字（図５の最上の行では、一例として「２」を示す。）が入力され、「点灯」なる文字表示１５ｉに隣接する、即ち、「点灯」に対応するラジオボタン１５ｈまたは「消灯」なる文字表示１５ｋに隣接する、即ち、「消灯」に対応するラジオボタン１５ｊのいずれかのボタンが選択される（図５の最上の行では、一例として、「消灯」なる文字表示１５ｉに対応するラジオボタン１５ｈが選択されていることを示す。）ことによって、図５の最上の行は、「２秒間、消灯する」という表示部１５のバックライト操作指示を入力する。
【００４２】
入力欄１５ｆに数字が入力されず、ラジオボタン１５ｈまたはラジオボタン１５ｊのいずれかが選択されている場合（図５の６行目に図示する。）、選択されたボタンがラジオボタン１５ｈかラジオボタン１５ｊかに従って、「点灯し続ける」または「消灯し続ける」という表示部１５のバックライト操作指示を入力する。
【００４３】
ラジオボタン１５ｈまたはラジオボタン１５ｊのいずれかが選択された行が複数ある場合、上の行による操作指示から順次下の行による操作指示を入力する。その結果、図５に示す例では、「２秒間消灯し、１秒間点灯し、１秒間消灯し、０．５秒間点灯し、０．５秒間消灯し、次に、点灯し続ける」という表示部１５のバックライト操作指示を入力して、この指示をコンテンツ２２ａとしてコンテンツ記憶部２２に記憶する。
【００４４】
ここで、表示部１５のバックライトは、電子メール送受信部１７が作成した送信メールを受信した装置がそのメールを表示する際、点灯されていることが多い。そこで、上記表示部１５のバックライト操作指示の最後の指示は、点灯であるが、これに限るものではない。
【００４５】
なお、ラジオボタン１５ｈ、１５ｊは、バックライトの点灯及び消灯に対応して設けられているが、これらのラジオボタンに加えて、または、代えて、これら以外のラジオボタンが設けられても良い。例えば、低い輝度での点灯や、時間をかけて徐徐に輝度を高めるフェードインや、時間をかけて徐徐に輝度を低めるフェードアウトに対応するラジオボタンである。フェードインや、フェードアウトに対応するラジオボタンが選択された場合、入力欄１５ｆに入力された数字は、輝度が最大の点灯になるまで、または、消灯になるまでの時間である。
【００４６】
また、その種類が入力装置１６のバックライト操作指示である場合、電子メール送受信部１７は、表示部１５に、入力装置１６のバックライト操作指示の入力を促すテンプレートを表示する。そのテンプレートは、上部の文字表示１５ａが「キーボードバックライトの点灯、消灯の指示」である以外、図４及び図５に示す表示部１５のバックライト操作指示の入力を促すテンプレートと同一であり、説明を省略する。
【００４７】
図６は、入力装置１６のバックライト操作指示の入力を促す第２のテンプレートに入力装置１６の所定のキー操作によって、入力が施された際の表示を示す。即ち、表示部１５の上部に「キーボードバックライトの点灯、消灯の指示」なる文字表示１５ａが行われ、その下の６行に渡って操作指示が入力され、その結果、「２秒間点灯し、１秒間消灯し、１秒間点灯し、０．５秒間消灯し、０．５秒間点灯し、次に、消灯し続ける」入力装置１６のバックライト操作指示を入力して、この指示をコンテンツ２２ａとしてコンテンツ記憶部２２に記憶する。
【００４８】
ここで、入力装置１６のバックライトは、電子メール送受信部１７が作成した送信メールを受信した装置がそのメールを表示する際、消灯されていることが多い。そこで、上記入力装置１６のバックライト操作指示の最後の指示は、消灯であるが、これに限るものではない。
【００４９】
また、その種類がバイブレータ部１８の操作指示である場合、電子メール送受信部１７は、表示部１５に、バイブレータ部１８の操作指示の入力を促すテンプレートを表示する。そのテンプレートは、上部の文字表示１５ａが「バイブレータの振動の指示」であり、文字表示１５ｅが「秒間振動させる」であり、各行の文字表示１５ｉが「振動」であり、また、文字表示１５ｋが「振動せず」である以外、図４及び図５に示す表示部１５のバックライト操作指示の入力を促すテンプレートと同一であり、説明を省略する。
【００５０】
電子メール送受信部１７は、これらのテンプレートを用いてバイブレータ部１８の操作指示を入力して、この指示をコンテンツ２２ａとしてコンテンツ記憶部２２に記憶する。
【００５１】
ここで、バイブレータ部１８は、電子メール送受信部１７が作成した送信メールを受信した装置がそのメールを表示する際、振動していないことが多い。そこで、上記バイブレータ部１８の操作指示の最後の指示は、振動せずであるが、これに限るものではない。
【００５２】
また、その種類がカメラ２１ａの撮影指示である場合、電子メール送受信部１７は、表示部１５に、カメラ２１ａの撮影指示の入力を促すテンプレートを表示する。そのテンプレートは、上部の文字表示１５ａが「カメラによる撮影の指示」であり、文字表示１５ｅが「秒間撮影する」である以外、図４に示す表示部１５のバックライト操作指示の入力を促す第１のテンプレートと同一であり、説明を省略する。
【００５３】
電子メール送受信部１７は、これらのテンプレートを用いてカメラ２１ａの撮影指示を入力して、この指示をコンテンツ２２ａとしてコンテンツ記憶部２２に記憶する。
【００５４】
図３に示す電子メール送受信部１７の電子メール送信動作のフローチャートを参照した、電子メール送受信部１７の動作説明に戻る。ステップＳ１７ｄで、入力された文字が使用者によって視認可能な文字、例えば、漢字、かな文字、アルファベット、記号、絵文字などである場合（ステップＳ１７ｄの「文字」）、電子メール送受信部１７は、その文字を表示されている送信メールの本文に追加して表示し（ステップＳ１７ｊ）、ステップＳ１７ｃの送信メールの本文の１文字を入力する動作以降の動作に移る。
【００５５】
ステップＳ１７ｄで、入力された文字が送信メールの本文入力終了を示す所定の操作キーによる文字である場合（ステップＳ１７ｄの「終了」）、電子メール送受信部１７は、ステップＳ１７ｂで入力された宛先アドレスに宛てて、ステップＳ１７ｂで入力された標題と、ステップＳ１７ｊで入力された本文と、ステップＳ１７ｆで選択された添付ファイルと、ステップＳ１７ｉで作成された添付ファイルからなる送信メールの送信を制御部１１を経由して送受信部１３に指示して（ステップＳ１７ｋ）、電子メール送信動作を終了する（ステップＳ１７ｍ）。
【００５６】
なお、電子メール送受信部１７は、入力装置１６の所定のキー操作によって、カーソルが特定文字に移され、そして、入力装置１６の所定のキー操作が行われた場合、その特定文字に対応する処理を行う。この処理によって、その特定文字によって、送信メールを受信した装置で行われる処理を確認することができる。この処理については、電子メール送受信部１７の受信された電子メールの表示動作で説明する。
【００５７】
また、以上の説明では、電子メール送受信部１７は、送信メールの宛先アドレスを入力装置１６の所定のキー操作によって入力するとしたが、そのアドレスをアドレス帳（図示せず）の検索によって入力しても良い。また、電子メール送受信部１７は、送信メールの宛先アドレスと、そのメールの標題とを入力した後でメール本文を入力するとしたが、これに限るものではない。宛先アドレスと、標題と、メール本文とを入力する順番は、例えば、入力装置１６の所定のキー操作によって任意に選択可能であるとしても良い。
【００５８】
図７は、電子メール送受信部１７の受信した電子メールの表示動作のフローチャートを示す。電子メール送受信部１７の電子メール表示動作は、電子メール送受信部１７が送受信部１３及び制御部１１を経由して電子メール（受信メール）を受信した後、入力装置１６の所定のキー操作によって動作を開始する（ステップＳ１７ｏ）。そして、受信メール本文の冒頭から、表示部１５に表示する（ステップＳ１７ｐ）。
【００５９】
ここで、図８は、説明のために用いるメール本文１７ａを示す。即ち、メール本文１７ａは、「今日、朝急に大雨。お／かげでこんなに濡れ／てしまった（＊１）こん／な格好で、取引先に行／くのはヤダなー。でも／時間に余裕がないか／らどうしようも無い／よ。ま、とりあえず傘／を買った（＊２）から、こ／れでどうにか雨をし／のぐよ。」である。
【００６０】
ここで、「／」記号は、この本文を表示部１５に表示した際に、表示部１５の横幅の仕様などによって改行が行われる位置を示す。ここで、「（＊１）」及び「（＊２）」は、既に説明した、受信メールに添付されたコンテンツ２２ａの種類を示す特定文字をメール本文１７ａ中の位置と対応付けて示す文字であり、実際は、絵画を示す絵文字やマイクロフォンを示す絵文字等である。
【００６１】
次に、電子メール送受信部１７は、表示部１５に表示されているメール本文１７ａ中に添付されたコンテンツ２２ａの種類を示す特定文字が含まれているか否かを調べる（ステップＳ１７ｑ）。そして、その文字が含まれていない場合（ステップＳ１７ｑの「ＮＯ」）、入力装置１６の所定のキー操作によって入力された指示を受信する（ステップＳ１７ｒ）。
【００６２】
そして、その指示を調べ（ステップＳ１７ｓ）、その指示がスクロールであれば、表示部１５に表示されたメール本文１７ａに対して指示されたスクロールを行って、ステップＳ１７ｐのメール本文の表示動作以降の動作に移る。ここで、スクロールは、縦方向スクロール（所定の行数だけ前、または、後の行を表示する。）である。一方、ステップＳ１７ｓで、指示が動作の終了であれば、電子メール送受信部１７は、電子メール表示の動作を終了する（ステップＳ１７ｔ）。
【００６３】
一方、ステップＳ１７ｑで、その文字が含まれている場合（ステップＳ１７ｑの「ＹＥＳ」）、電子メール送受信部１７は、その文字に対応した添付ファイルを制御情報として周辺装置の制御処理を行いつつ（ステップＳ１７ｕ）、ステップＳ１７ｒの指示を受信する動作以降の動作に移る。
【００６４】
ステップＳ１７ｕで行われる、コンテンツ２２ａの種類を示す特定文字が表示部１５に表示されている際の制御処理を説明する。なお、スクロールによって特定文字が表示部１５に表示されなくなった場合、その特定文字に対応する制御処理は終了する。
【００６５】
表示部１５に表示される行数は７行であると仮定すると、電子メール送受信部１７が動作を開始して、最初にステップＳ１７ｐで表示部１５に表示されるメール本文１７ａは、図９に示すように、その１〜７行目である。そして、この中には、添付されたコンテンツ２２ａの種類を示す特定文字「（＊１）」が表示されている。
【００６６】
特定文字「（＊１）」が静止画像を示す場合、電子メール送受信部１７は、その文字に対応づけられた静止画像が記憶された添付ファイルを復号化部２３に復号化させ、復号化された静止画像を表示部１５に表示させる。この際、表示部１５に表示されているメール本文１７ａの一部の背景として表示させる。背景として表示させることにより、この表示によるメール本文１７ａの表示される文字数の減少を避けることができ、電子メール送信者の意思をより正確に、より容易に伝えることが可能となる。
【００６７】
なお、この静止画像の表示は、所定時間経過後は表示が行われないとしても良い。図９は、特定文字「（＊１）」が静止画像を示し、人が雨に濡れている様子を撮影した、その静止画像がメール本文１７ａの１〜７行目の背景として表示されている例を示す。
【００６８】
特定文字「（＊１）」が動画像を示す場合、電子メール送受信部１７は、その文字に対応付けられた動画像が記憶された添付ファイルを復号化部２３に復号化させ、復号化された動画像を表示部１５に表示させる。この際、表示部１５に表示されているメール本文１７ａの一部の背景として表示させる。なお、記憶された動画像の全ての表示の終了後、再度、同じ動画像の表示が行われるが、これに限るものではない。記憶された動画像の全ての表示の終了後、動画像の表示を終了しても良い。
【００６９】
特定文字「（＊１）」が音声を示す場合、電子メール送受信部１７は、その文字に対応付けられた音声が記憶された添付ファイルを復号化部２３に復号化させ、復号化された音声をスピーカ２３ａから発生させる。なお、記憶された音声の全ての発生の終了後、再度、同じ音声の発生が行われるが、これに限るものではない。記憶された音声の全ての発生の終了後、音声の発生を終了しても良い。更には、記憶された音声が着メロなどの楽曲であり、その楽曲にさび（その楽曲の一部であって、特徴のある部分。）の指定が付されている場合、そのさびの部分のみを１回、または、複数回繰り返して発生させても良い。
【００７０】
特定文字「（＊１）」が映画を示す場合、電子メール送受信部１７は、その文字に対応付けられた映画が記憶された添付ファイルを復号化部２３に復号化させ、復号化された動画像を表示部１５に表示させ、復号化された音声をスピーカ２３ａから発生させる。なお、記憶された映画の全ての表示の終了後、再度、同じ映画の表示が行われるが、これに限るものではない。記憶された映画の全ての表示の終了後、映画の表示を終了しても良い。
【００７１】
特定文字「（＊１）」が表示部１５のバックライト操作指示を示す場合、電子メール送受信部１７は、その文字に対応付けられた添付ファイルに記憶された指示に従って、制御部１１に表示部１５のバックライトの点灯、消灯などの制御をさせる。なお、表示部１５がバックライトを有しない構造であるなど、バックライトの制御が不可能、または、好ましくない場合、制御部１１は、バックライトの点灯、消灯に代えて、例えば、表示部１５の電源の投入、切断や、表示部１５の輝度変更機能の起動や、表示部１５に表示される画像を記憶する記憶部（図示せず）に記憶された画像の輝度の変更などにより、表示部１５の表示を点灯（視認可能）、消灯（視認不可能）などの制御をする。
【００７２】
特定文字「（＊１）」が入力装置１６のバックライト操作指示を示す場合、電子メール送受信部１７は、その文字に対応付けられた添付ファイルに記憶された指示に従って、制御部１１に入力装置１６のバックライトの点灯、消灯などの制御をさせる。
【００７３】
特定文字「（＊１）」がバイブレータ部１８の操作指示を示す場合、電子メール送受信部１７は、その文字に対応付けられた添付ファイルに記憶された指示に従って、制御部１１にバイブレータ部１８の振動の制御をさせる。
【００７４】
特定文字「（＊１）」がカメラ２１ａの撮影指示を示す場合、電子メール送受信部１７は、その文字に対応付けられた添付ファイルに記憶された指示に従って、符号化部２１にカメラ２１ａから入力された画像信号を符号化させ、符号化された信号をコンテンツ２２ａとしてコンテンツ記憶部２２に記憶させる。
【００７５】
図９に示す、メール本文１７ａの１〜７行目が表示されている際、ステップＳ１７ｒで２行下の行を表示するスクロールの指示が入力された場合、電子メール送受信部１７は、ステップＳ１７ｐで、図１０に示すように、メール本文１７ａの３〜９行目を表示部１５に表示させる。すると、３行目の特定文字「（＊１）」に加えて、９行目の特定文字「（＊２）」が表示される。複数の特定文字が表示され、かつ、その一方はスクロール前から表示されており、他方はスクロールによって新たに表示された場合、電子メール送受信部１７は、ステップＳ１７ｕで、新たに表示された特定文字に対応する処理を行う。
【００７６】
なお、電子メール送受信部１７が動作を開始して、最初にステップＳ１７ｐで表示部１５に表示されたメール本文１７ａ中に複数の特定文字がある場合、及び、スクロールによって新たに表示された行に複数の特定文字がある場合、電子メール送受信部１７は、それらの複数の特定文字に対応する処理が両立するなら、それぞれの文字に対応する処理を行う。ここで、処理が両立しない場合とは、同じ種類の複数の処理、具体的には、例えば、２つの静止画像の表示を行うことや、２つの音声の発生を行うことである。更に、処理が両立しない場合とは、静止画像処理と、動画像処理と、映画処理の中の複数の処理であり、また、音声処理と、映画処理との処理である。
【００７７】
処理が両立しない場合、電子メール送受信部１７は、次に示すいずれかの処理を行う。第１にいずれの処理も行わない。第２にいずれも処理をする。例えば、複数の静止画像を重ねて表示させる。また、複数の音声を同時に発生させる。第３に、いずれの処理も少ないリソースを用いて行う。例えば、表示部１５の画面を分割し、１つまたは複数の静止画像及び／または１つまたは複数の動画像をそれぞれ分割された画面で表示させる。または、複数の静止画像及び／または１つまたは複数の動画像を所定の時間毎に切替えて表示させる。
【００７８】
更に、第４に、一方の処理を行って、その処理が終了した後、他方の処理を行う。例えば、複数の音声処理を、１つの処理ずつ、順次行う。第５に、複数の処理を識別する情報、例えば、添付ファイル名や、処理の種類を表示部１５に表示し、または、複数の処理を短時間実行し、いずれの処理を行うかの指示を入力装置１６の所定のキー操作によって入力し、指示された処理を行う。
【００７９】
なお、特定文字に対応して、コンテンツ２２ａの識別子のみが送られ、そのコンテンツ２２ａは送られない場合、電子メール送受信部１７は、その識別子によって識別されるコンテンツ２２ａによって処理を行う。そのコンテンツ２２ａが得られない場合、電子メール送受信部１７は、次に示すいずれかの処理を行う。第１に処理を行わない。第２に処理の種類に応じて事前に定められたコンテンツ２２ａによって処理を行う。
【００８０】
また、電子メール送受信部１７は、特定文字を表示部１５に表示する（正確に説明すれば、使用者に視認可能に表示する。）としたが、これに限るものではない。使用者に視認不可能に表示するとしても良い。また、表示部１５の画面に１つの特定文字がある場合、その文字を視認不可能に表示し、複数の特定文字がある場合、表示するとしても良い。
【００８１】
以上説明したように、電子メールに文字情報以外の情報を含ませることによって、その電子メールを受信した装置に画像表示や音声の発生をさせることに止まらず、その装置の各種周辺装置の制御を行わせることによって、電子メール送信者の意思をより正確に、より容易に伝えることが可能となる。なお、電子メールを受信した装置のカメラ２１ａによる撮影は、電子メール送信者の意思を伝える手段とはならない。しかし、例えば、そのメールの受信者の表情を撮影し、そのメールの返信メールにその撮影によって得られた画像を添付することにより、より正確で、より容易な相互の会話が可能となる。
【００８２】
以上の説明では、特定文字が表示部１５に表示され続けている場合、その文字に対応する処理が終了するまでの時間は、その文字が静止画像、動画像、音声、または、映画を示す場合、電子メールを受信した装置で定め、その文字が表示部１５のバックライト操作指示、入力装置１６のバックライト操作指示、バイブレータ部１８の操作指示、または、カメラ２１ａへの撮影指示を示す場合、電子メールを送信した装置で定めるとしたが、これに限るものではない。いずれの装置で定めても良い。また、双方で定め、双方が定めた時間の中の短い時間で終了するといても良いし、双方が定めた時間の中の長い時間で終了するといても良い。
【００８３】
以上の説明は、電子メールに含まれる特定文字によって制御される移動通信端末装置が持つ周辺装置は、表示部１５、入力装置１６、バイブレータ部１８、カメラ２１ａ、スピーカ２３ａであるとしたが、これに限るものではない。例えば。スピーカ１４ａや、ＬＥＤ（図示せず）や、照明用ライト（図示せず）を含んでも良い。
【００８４】
また、以上の説明は、本発明を移動通信端末装置に適用した形態を例にとって行ったが、本発明は、電子メールを送信するあらゆる装置及び電子メールを受信するあらゆる装置に適用することが当然に可能である。更に、以上の説明は、データの送受信方法として電子メールを用いた形態を例にとって行ったが、これに限るものではない。データの送受信方法として、チャットや、ウェブシステムなどを用いても良い。本発明は以上の構成に限定されるものではなく、種々の変形が可能である。
【図面の簡単な説明】
【００８５】
【図１】本発明の実施形態に係る移動通信端末装置の構成を示すブロック図。
【図２】本発明の実施形態に係るコンテンツ処理部の構成を示すブロック図。
【図３】本発明の実施形態に係る電子メール送受信部の電子メール送信動作を示すフローチャート。
【図４】本発明の実施形態に係る表示部のバックライト点灯、消灯の操作指示を入力する際に表示部に表示される第１のテンプレート。
【図５】本発明の実施形態に係る表示部のバックライト点灯、消灯の操作指示を入力する際に表示部に表示される第２のテンプレート。
【図６】本発明の実施形態に係るキーボードのバックライト点灯、消灯の操作指示を入力する際に表示部に表示される第２のテンプレート。
【図７】本発明の実施形態に係る電子メール送受信部の受信メール表示動作を示すフローチャート。
【図８】本発明の実施形態に係る電子メール送受信部が受信した電子メールの一例。
【図９】本発明の実施形態に係る電子メール送受信部による受信メール表示の例（その１）。
【図１０】本発明の実施形態に係る電子メール送受信部による受信メール表示の例（その２）。
【符号の説明】
【００８６】
１１  制御部
１５  表示部
１５ａ、１５ｃ、１５ｅ、１５ｇ、１５ｉ、１５ｋ  文字表示
１５ｂ、１５ｄ、１５ｆ  入力欄
１５ｈ、１５ｊ  ラジオボタン
１６  入力装置
１７  電子メール送受信部
１７ａ  メール本文
１８  バイブレータ部
２０  コンテンツ処理部
２１  符号化部
２１ａ  カメラ
２１ｂ  マイクロフォン
２２  コンテンツ記憶部
２２ａ  コンテンツ
２３  復号化部
２３ａ  スピーカ
【図１】
2007179092.tif 000003
【図２】
2007179092.tif 000004
【図３】
2007179092.tif 000005
【図４】
2007179092.tif 000006
【図５】
2007179092.tif 000007
【図６】
2007179092.tif 000008
【図７】
2007179092.tif 000009
【図８】
2007179092.tif 000010
【図９】
2007179092.tif 000011
【図１０】
2007179092.tif 000012